(57)【要約】  本発明は、利用する前に、復号化するうえで暗号化鍵を必要とする複数の暗号化されたディジタルのビデオ、オーディオ及びデータを受信する装置及び方法を開示する。特に、本発明は、特定のチャンネルを選択すると複数のチャンネルへのアクセスをユーザに備える受信器に複数チャンネル情報を送信する、ケーブル・システムやディジタル放送衛星システムなどの装置に関する。そうしたチャンネル選択は、時間がかかる電子処理によって新たなデータストリームを復号し、フォーマッティングすることを必要とする。本明細書及び特許請求の範囲記載の本発明は、新たなチャンネルをユーザが選択する前にバックグラウンドにおいてスクランブル解除データを監視することによってチャンネル変更時間を削減する。ディジタル放送データは、利用可能な複数ディジタル・データ・ストリーム各々に対するＮビット・スクランブル解除鍵の復号化に必要な入力スクランブル解除制御語を含む。データ制御語又はＮビット・スクランブル解除鍵を記憶することによって、後の取り出し復号化時間が削減される。しかし、制御語を利用して、Ｎビット・スクランブル解除鍵をスクランブル解除し、更に、Ｎビット・スクランブル解除鍵を記憶することによって、通常、チャンネル変更時間を削減するうえでの最大の利得をもたらす。
2007502575.tif 000002
【特許請求の範囲】
【請求項１】
受信器であって、
プログラムされる手段を利用して、２つ以上のチューニングされるチャンネルのうちの選択される１つに対するユーザ要求に、前記選択されるチャンネルに対するスクランブル解除鍵群のうちの１つを、選択されるビデオ・ディスプレイ内に情報をフォーマッティングするのに必要な関連スクランブル解除ディジタル伝送ストリームによって出力させることによって応答する、２つ以上のチューニングされるチャンネルを備えることを特徴とする受信器。
【請求項２】
請求項１記載の受信器であって、
前記スクランブル解除鍵群がメモリに記憶されることを特徴とする受信器。
【請求項３】
請求項１記載の受信器であって、
前記スクランブル解除鍵群を、番組選択操作モードにおいて比較して所望のディジタル伝送ストリームを識別することを特徴とする受信器。
【請求項４】
請求項２記載の受信器であって、
前記スクランブル解除鍵群が、前記２つ以上のチューニングされるチャンネルのうちの選択される１つに応じて、前記メモリから取り出されることを特徴とする受信器。
【請求項５】
受信器であって、
ディジタル伝送をチューニングし、復号化して、各々がスクランブル解除鍵と関連した２つ以上のチューニングされるチャンネルに関する制御語群を生成するチューニング及び復号化の装置と、
前記２つ以上のチューニングされるチャンネルのうちの選択される１つに対するユーザ要求に、前記選択されるチャンネルに対するスクランブル解除鍵の生成に対する、前記制御語群内の制御語のうちの１つを出力させて、ビデオ・ディスプレイ内にディジタル情報をフォーマッティングするのに必要なディジタル伝送ストリームをスクランブル解除することによって応答する、プログラムされる手段とを備えることを特徴とする受信器。
【請求項６】
請求項５記載の受信器であって、
前記制御語群がメモリに記憶されることを特徴とする受信器。
【請求項７】
請求項５記載の受信器であって、
前記制御語群を、番組選択操作モードにおいて比較して所望のディジタル・スクランブル解除鍵ストリームを識別することを特徴とする受信器。
【請求項８】
請求項６記載の受信器であって、
前記制御語群が、前記メモリから取り出され、
制御語のうちの記憶された部分は、所望のディジタル伝送ストリームに関連したスクランブル解除手段と優劣つけがたいことを特徴とする受信器。
【請求項９】
ビデオ伝送の受信方法であって、
ディジタル伝送をチューニングし、復号化して、２つ以上のチューニングされるチャンネルに関連したスクランブル解除鍵群を生成する工程と、
前記２つ以上のチューニングされるチャンネルのうちの選択される１つに対するユーザ要求に、前記選択されるチャンネルに対する前記スクランブル解除鍵群を出力させて、
ディジタル情報をビデオ・ディスプレイ内にフォーマッティングするのに必要なディジタル伝送ストリームをスクランブル解除することによって応答するよう手段をプログラムする工程とを備えることを特徴とする受信方法。
【請求項１０】
請求項９記載の受信方法であって、
前記スクランブル解除鍵群をメモリに記憶する工程を更に備えることを特徴とする受信方法。
【請求項１１】
請求項９記載の受信方法であって、
前記スクランブル解除鍵群を、番組選択操作モードにおいて比較して所望のディジタル伝送ストリームを識別する工程を更に備えることを特徴とする受信方法。
【請求項１２】
請求項１０記載の受信方法であって、
前記スクランブル解除鍵群を、前記メモリから取り出す工程を更に備え、
スクランブル解除鍵のうちの記憶された部分は、所望のディジタル伝送ストリームと優劣つけがたいことを特徴とする受信方法。
【請求項１３】
受信方法であって、
ディジタル伝送をチューニングし、復号化して、各々がスクランブル解除鍵と関連した２つ以上のチューニングされるチャンネルに関する制御語群を生成する工程と、
前記２つ以上のチューニングされるチャンネルのうちの選択される１つに対するユーザ要求に、前記選択されるチャンネルに対するスクランブル解除鍵の生成に対する、前記制御語群内の制御語のうちの１つを出力させて、ディジタル情報をビデオ・ディスプレイ内にフォーマッティングするのに必要なディジタル伝送ストリームをスクランブル解除することによって応答するよう手段をプログラムする工程とを備えることを特徴とする受信方法。
【請求項１４】
請求項１３記載の受信方法であって、
前記制御語群をメモリに記憶する工程を更に備えることを特徴とする受信方法。
【請求項１５】
請求項１３記載の受信方法であって、
前記制御語群を、番組選択操作モードにおいて比較して所望のディジタル伝送ストリームを識別する工程を更に備えることを特徴とする受信方法。
【請求項１６】
請求項１４記載の受信方法であって、
前記制御語群を前記メモリから取り出す工程を更に備え、
制御語のうちの記憶された部分は、所望のスクランブル解除鍵と優劣つけがたいことを特徴とする受信方法。
【請求項１７】
受信方法であって、
視聴可能チャンネルを判定する工程と、
前記視聴可能チャンネルに関連した復号化鍵を復号化する工程と、
前記復号化鍵を、前記視聴可能チャンネルがユーザによって選択される場合に取り出し可能な状態でメモリに記憶する工程と、
視聴可能性を有するチャンネル全てが各々のスクランブル解除鍵を復号化させているかを判定し、
視聴可能性を有するチャンネル全てが各々のスクランブル解除鍵を復号化させている訳でない場合、時間変動放送において必要であるように、新たな制御語についてディジタル伝送を監視し続ける工程とを備えることを特徴とする受信方法。
【請求項１８】
請求項１７記載の受信方法であって、
選択される視聴チャンネルに関連した前記スクランブル解除鍵を取り出す工程を更に備えることを特徴とする受信方法。
【請求項１９】
請求項１８記載の受信方法であって、
選択される視聴チャンネルに関連した前記スクランブル解除鍵を利用してディジタル・データを組み立てる工程を更に備えることを特徴とする受信方法。
【請求項２０】
受信方法であって、
視聴可能チャンネルを判定する工程と、
前記視聴可能チャンネルに関連した制御語を復号化する工程と、
前記制御語を、前記視聴可能チャンネルがユーザによって選択される場合に取り出し可能な状態でメモリに記憶する工程と、
視聴可能性を有するチャンネル全てが前記制御語を復号化させているかを判定し、
視聴可能性を有するチャンネル全てが前記制御語を復号化させている訳でない場合、時間変動放送において必要であるように、新たな制御語についてディジタル伝送を監視し続ける工程を更に備えることを特徴とする受信方法。
【請求項２１】
請求項２０記載の受信方法であって、
前記制御語を取り出して、選択される視聴チャンネルに関連した鍵をスクランブル解除する工程を更に備えることを特徴とする受信方法。
【請求項２２】
請求項２１記載の受信方法であって、
選択される視聴チャンネルに関連した鍵のスクランブル解除に対する前記制御語を利用してディジタル・データを組み立てる工程を更に備えることを特徴とする受信方法。
【発明の詳細な説明】
【技術分野】
【０００１】
本発明は、一般的に、マルチチャンネルの、ディジタルのビデオ／オーディオ／データ（「ディジタル・データ」）の伝送を受信し、処理する方法及び装置に関し、特に、チャンネルを変更する旨のユーザ・コマンドに対する、よりすばやい応答を備えることができるディジタル放送受信器に関する。
【背景技術】
【０００２】
マルチチャンネル・ディジタル・ビデオ受信器がチャンネルを変更するのに必要な時間は、アナログ・ビデオ・システムにおいてチャンネルを変更する時間よりも大きい。何れのシステムでも、選択されるチャンネルの受信処理には、チューナが所望のキャリア周波数にチューニングし、所望のパケットを選択し、信号を復調することが必要である。ディジタル放送信号は、通常はスクランブル解除されている情報を復号化する工程、ＭＰＥＧ符号化データを復元する工程、誤り訂正を備える工程などの更なる工程と、生成されるデータ・パケットをディジタル復号器に伝送する工程とを、所望の番組を表示できる前に通常必要とする。大容量の、複数チャンネルの直接放送衛星システムでは、受信器は、ハードウェア及びソフトウェアの実施形態と、ディジタル・データ伝送のビット・レートとによってチャンネルを変更するうえで、１秒から５秒に及ぶ、数秒を必要とし得る。しかし、時間遅延の少なくとも一部分は、ディジタル・データをスクランブル解除し、ビデオ表示を順次形成するというきまりによって生じる。米国特許第５，９３３１９２号明細書及び米国特許第６，１１８，４９８号明細書は、チャンネル変更時間を削減するうえでの装置及び方法の２例を開示している。
【０００３】
現行のディジタル・ビデオ復号器システムは、暗号化ディジタル・データ・ストリームを復号化する（図１、従来技術参照。）。こうしたシステムは、ケーブル・システムやディジタル衛星放送（「ＤＢＳ」）システムを例とするものなどのディジタル放送の技術分野では周知であり、チューナ、変調器、デコーダ、伝送逆多重化装置、マイクロプロセッサ、番組メモリ、ビデオ・ピクチャ・メモリ、ＭＰＥＧビデオ・デコーダ、ディスプレイ及びスマート・カードを含む。
【０００４】
従来技術では、スクランブル・データは、データをスクランブル解除するための関連制御語と一緒に送信され、制御語は、エクスプロイト鍵によって暗号化され、暗号化形式で送信される。スクランブル・データ及び関連制御語は更に、受信器に挿入されて、暗号化制御語を復号し、その後、Ｎビットのスクランブル解除鍵を生成して送信ディジタル・データを復号化するスマート・カード上に記憶されているエクスプロイト鍵に同等なものへのアクセスを有するデコーダによって受信される。例えば、払い込み済みのディジタル放送システムでは、加入者は、５６ビットのスクランブル解除鍵を復号化して伝送の視聴を可能にするのに必要な暗号化制御語を復号するのに必要なエクスプロイト鍵を構成するエンタイトルメント・コントロール・メッセージを受信する。
【０００５】
ユーザがチャンネルを選択すると、ソフトウェアは、伝送逆多重化装置を番組識別情報（ＰＩＤ）によって構成し、ＰＩＤは更に、入力ディジタル・データ・パケットをフィルタリングする。システムは更に、ディジタル・データ・ストリームにおける全パケットを検査するＰＩＤ比較ブロックに伝送データストリームが流れることを可能にし、データ・パケットを、ルックアップ・テーブル内のエントリのリストと比較する。通常、一致が存在する場合、データ・パケットはスクランブル解除器に送信される。大半のディジタル放送システム・データ・ストリーム及び大半のディジタル・ケーブル・データ・ストリームは、セキュリティの目的でスクランブルされる。ディジタル放送システムのスクランブル解除は、入力データの形式で復号仕様を含む制御語パケットを送受信することによって達成される。復号制御語は、スマート・カードにプログラムされるアルゴリズムによって処理され、それによって、Ｎビットのスクランブル解除鍵が生成される。現行のシステムは通常、最大５６ビットの鍵を利用する。Ｎビットの鍵は更に、データ暗号化スクランブルを行うよう、伝送レジスタに記憶される。スクランブル解除が行われると、システムは、ビデオ複合ピクチャをメモリ内に、通常はＭＰＥＧ−２標準によって構築し、所望のピクチャをディスプレイ上に表示する。ユーザがチャンネルを変更すると、システムは現行の復号化処理をディセーブルし、新たなチャンネルのパラメータによって上記の手順全てをやり直す。例えば、天候や、劣悪な信号受信状態が理由で、信号に誤りが存在する場合、ユーザは、チャンネルを変更するのに、更なる遅延時間、待たなければならない。
【発明の開示】
【発明が解決しようとする課題】
【０００６】
チャンネル獲得に関連した遅延は、隣接するチャンネルの順次移動を行うテレビ・ユーザにとって特に気になるものであり、こうした操作は、多くのユーザが、すばやく行いことを好む。部分的には、遅延は、ディジタル・コンテンツが暗号化されていることによるものであり、それによって、デコーダが、特定の順次処理でスクランブル解除データを処理することが必要である。本発明は、伝送逆多重化装置及びスマート・カードに焦点を当てて、ユーザ・チャンネル変更時間を、新たなチャンネルをユーザが選択する前に、次の予測チャンネル毎に、スクランブル解除鍵に関連した制御語又は、スクランブル解除鍵を復号化することによって削減する。
【課題を解決するための手段】
【０００７】
本明細書及び特許請求の範囲開示の本発明は、ディジタル伝送をチューニングし、復号化して、２つ以上のチューニング・チャンネルに関連した、Ｎビットのスクランブル解除鍵群を生成する、チューニング及び復号化の手段と、選択チャンネルに対するスクランブル解除鍵群を出力させて、ディジタル情報をビデオ・ディスプレイ内にフォーマッティングするのに必要なディジタル伝送ストリームをスクランブル解除することによって、２つ以上のチューニング・チャンネルのうちの選択された１つに対するユーザ要求に応答する、プログラムされたマイクロプロセッサとを含む。
【０００８】
別の実施例では、ディジタル・ビデオ伝送受信器装置は、制御語を記憶する装置を備える。これは、ディジタル伝送をチューニングし、復号化して、各々がＮビットのスクランブル解除鍵と関連した２つ以上のチューニング・チャンネルに関する制御語群を生成する、チューニング及び復号化の手段と、制御語群内の制御語のうちの１つに、選択チャンネルが出力されるうえでのスクランブル解除鍵を出力させて、ディジタル情報をディジタル・ディスプレイ内にフォーマッティングするのに必要なディジタル伝送ストリームをスクランブル解除することによって、２つ以上のチューニング・チャンネルのうちの選択された１つに対するユーザ要求に応答する、プログラムされたマイクロプロセッサとを含む。
【発明を実施するための最良の形態】
【０００９】
本発明は、添付図面に関して検討すると、以下の詳細な説明から最も良く分かる。添付図面の種々の特徴は、網羅的に規定されているものでない。逆に、種々の特徴は、明瞭にするよう、拡張してもよく、縮減してもよい。
【００１０】
本発明は、複数のディジタル・データ伝送ストリームに対する、スクランブル解除鍵の復号化に必要なディジタル・データ入力スクランブル解除制御語、又は生成される、Ｎビットのスクランブル解除鍵自体を記憶する装置及び方法を開示する。データ制御語を記憶することによって、ディジタル・データ・ストリームを復号化する関連スクランブル鍵をスクランブル解除するのに制御語が必要な場合に、後の取り出し時間が削減されることになる。しかし、制御語を利用してＮビットのスクランブル解除鍵をスクランブル解除し、更に、Ｎビットのスクランブル解除鍵を記憶することによって、チャンネル変更時間を削減するうえで最大の利得がもたらされる。複数の番組を同時に監視することは、複数の番組識別情報すなわちＰＩＤをＰＩＤテーブルに追加することによって行うことができる。
【実施例】
【００１１】
図１を参照すれば、放送システム１は、スクランブル・ディジタル情報を受信器１００に備え、それには、ユーザによって認識することができるデータ・フレームを組み立てる前にスクランブル解除することを必要とする。ビデオ、オーディオ及びデータの放送システム１１０は、データ・ストリーム１２５における各データ・パケット１３１をＰＩＤルックアップ・テーブル１２４における既存のエントリと比較するＰＩＤ比較ブロック１２２に受信器入力によって受信されるデータ・パケット１３１を含むデータストリーム１２５を備える。入力データ・パケット１３１と既存のエントリとの間で一致が見出されれば、出力データ・パケット１３０がスクランブル解除器１４０に転送される。データ・パケット１３０内では、制御語１３２は、入力データのビデオ、オーディオ、及びデータのストリームを後に復号化するスクランブル解除鍵を復号するのに必要な情報である復号入力データを備える。復号入力データ制御語１３２は、通常、その中に含まれる情報を利用してＮビットのスクランブル解除鍵１８５を生成するマイクロプロセッサ１７０を介してスマート・カード１９０に備えられる。スクランブル解除鍵１８５は、伝送レジスタ１８０に記憶され、伝送レジスタでは、ユーザが認識するのに必要な、スクランブルされたビデオ、オーディオ及びデータを解読するのに鍵を用いる。通常のビデオ・システムでは、スクランブル解除パケット１４５を用いて、メモリ１５０におけるビデオ・フレームを、ＭＰＥＧ−２などの既存の標準によって構成する。その後、ビデオ・ディスプレイ１６０によって、番組を視聴することが可能になる。
【００１２】
ユーザがチャンネルを変更すると、受信器システム１００は、それ自体を動作不能にし、データストリーム１２５におけるデータ・パケット１３１各々をＰＩＤルックアップ・テーブル１２４内の既存のエントリと比較するＰＩＤ比較ブロック１２２へ入力するよう、データ・パケット１３１を獲得する上記手順をやり直さなければならない。一致が生じると、復号入力データを備える制御語１３２は、新たなチャンネルの後のスクランブル解除を行うための５６ビット鍵の終局的な生成を行うよう、マイクロプロセッサ１７０及びスマート・カード１９０に中継される。
【００１３】
図２を参照すれば、放送システム２１０のユーザがチャンネル変更を開始すると、受信器システム２００は、所望の番組に関連した現行のディジタル・データ・ストリームに対する、Ｎビットの、記憶されたスクランブル解除鍵を変更するだけでよい。バックグラウンドにおいて先行して復号化されたか、それと同時に復号化された、Ｎビットのスクランブル解除鍵は、何れかの新たに選択されるディジタル・データ・チャンネルのすばやいスクランブル解除を可能にする。本発明が現行の技術に施されれば、こうしたチャンネル変更の方法は、チャンネル選択遅延時間において最大４０％の削減を実現することができる。
【００１４】
図２は本発明を示し、ディジタル受信器２００は、ユーザによって認識されるようにディジタル情報をフォーマッティングするのに必要な関連スクランブル解除ディジタル伝送ストリーム２４５によって、選択されるチャンネルに対するスクランブル解除鍵群２７３を出力させることによって、プログラムされた手段２７０を利用して、２つ以上のチューニング・チャンネルのうち選択される１つに対するユーザ要求に応答して、２つ以上のチューニング・チャンネル２６５に関連した、Ｎビットのスクランブル解除鍵群２７３を生成する、放送の伝送２０５を受信する。通常、そうした認識は、選択されるビデオ・ディスプレイ２６０が、陰極線管上や他のそうした２次元ビデオ・ディスプレイ上にピクチャを投影する場合に達成される。
【００１５】
前述の監視及び復号化は、Ｎビットのスクランブル解除鍵の生成に将来、利用されることになる入力スクランブル解除データ制御語２９４の記憶によって達成することができ、メモリ２７５における５６ビット鍵を直ちに生成することによっても達成することができる。５６ビット鍵を記憶することによって、チャンネル変更時間の削減において最大の利得をもたらすが、それは、Ｎビット鍵を作成するよう適切な番組への入力として制御語を必要とする工程は、それが必要である際に既に実現されているものであるからである。同時のスクランブル・データ・パケットは複数存在するので、各々が、メモリ２７５内の別の場所に記憶される。複数の番組を同時に監視することは、複数の番組ＰＩＤをＰＩＤテーブル２３０に追加することによって行うことができる。
【００１６】
本発明は、例として、米国特許第５，９３３，１９２号明細書又は米国特許第６，１１８，４９８号明細書記載の、予測される次のユーザ・コマンドから導き出される制御語２９５を監視することによって、ユーザ・チャンネル変更時間を削減する。任意的には、放送システム２１０におけるチャンネル全てを、衛星受信システム開発の技術分野における当業者によって周知である技術を利用して監視し得る。所望の受信番組の前にスクランブル解除鍵全てを処理することによって、受信システム２００は、トランスポンダ上に存在するチャンネル全てを監視することができる。よって、ユーザがチャンネルを変更する場合、チューナ・データ２６５は、スクランブル・ディジタル・データを直ちに復号化させることができるが、それは、復号入力鍵が先行して受信され、スマート・カード２９０に転送され、その結果、出力鍵群２７７がメモリ２７５に記憶されるからである。
【００１７】
本明細書及び特許請求の範囲記載の本発明は、通常の受信器システムでは、ユーザ起動チャンネル変更の完了において約４００ミリ秒の処理時間を削減することができる。
【００１８】
ストリーム内のスクランブル解除入力データは、データストリームにおいて一周期レートで繰り返される。例として、一商用システムでは、このレートは、最大２００ミリ秒である。スマート・カード２９０は通常、５６ビット鍵２８５を生成するのに最大１５０秒が許容される。復号器システムは、スマート・カード２９０に応答し、５６ビット鍵２８５を伝送レジスタ２８０に移動させ、生伝送データストリーム２４５の復号化を始めるのに最大５０ミリ秒が許容される。
【００１９】
３つの工程全てが、チャンネル変更毎に順次必要である。
【００２０】
ユーザがチャンネル変更を起動させると、システムは、チューナ・データ２６５を介して現行番組から、メモリ２７７内のバックグラウンド復号化５６ビット鍵に切り替えるだけでよい。プログラミングの技術分野における当業者に周知であるプログラミング手法を利用して、多くの５６ビット鍵が、アクセス可能な状態で記憶される。
【００２１】
従来技術では、一般的に、一度に１つのビデオ・ストリームのみが表示され、その例外としては、ピクチャ・イン・ピクチャ（ＰＩＰ）や同様のシステムがあげられる。ＰＩＰシステムは、２つ以上のピクチャを同時に表示することを可能にする。しかし、現在、市場に存在するディジタルＰＩＰシステムはわずかである。スクランブル解除データの予測的な復号化及び監視は、ディジタルＰＩＰとともに用いることができる。更に、本発明は、ディジタルＰＩＰ機能の速度を増加させることになるが、それは、２次チャンネルが既に、ユーザが第２のピクチャを表示することを選択する前に、監視され、復号化されているからである。ＰＩＰを備えるシステムも、ＰＩＰを備えないシステムも本発明の恩恵を受けるものである。
【００２２】
本明細書及び特許請求の範囲記載の本発明は、スマート・カード２９０が制御語２９５の入力を利用して、Ｎビット・データ暗号化復号化鍵を生成して、ディジタル・データを後にスクランブル解除することを可能にするように入力データストリームをスクランブル解除する方法を含む。スクランブル解除鍵２８５は、生成されると、メモリ２７３に記憶され、伝送データをスクランブル解除ディジタル・データ２４５に復号化するように、例えば、Ｎビット鍵として、５６ビット鍵２８０及び伝送２４０に直ちに利用可能にされる。チャンネルが変更される都度、当該処理は上記工程を繰り返す。
【００２３】
特に、図３及び図４を参照すれば、チャンネル変更可能数は最大、ディジタル放送システム２１０によって放送されるチャンネルの数、存在する。しかし、各受信器システム２００は、変更可能なものの全体集合のうちの部分集合のみを利用し得る。そうした変更可能性が存在するとすれば、更に、図３を参照すれば、システム３００は、ウェイト状態３１２にあるものでなくなり、受信器システム２００は、視聴可能チャンネル３２０を判定する工程を開始することになる。その後、視聴チャンネルに関連した５６ビットの鍵（５６は例証の目的で用いているに過ぎない。）が、復号化され（３３０）、視聴可能チャンネルがユーザによって選択される場合に取り出し可能な状態で、メモリに記憶される。チャンネルがユーザによって選択された（３６０）場合、選択視聴チャンネルに関連した復号化鍵を取り出し（３７０）、利用して（３８０）、Ｎビット・スクランブル解除コードをスクランブル解除する（３８０）。スクランブル解除鍵を更に用いて、ディジタル・データ・ストリームを、視聴者によって認識可能な手段に組み立てる（３９０）。スクランブル解除鍵が復号化されると、システム３００は、視聴可能なチャンネル全てがスクランブル解除鍵を復号化させている（３３０）か、否かを判定する。それらが自らの鍵を復号化させている（３３０）場合、システム３００は、新たな視聴可能性（３５５）を待つ（３５５）。視聴可能性（３５５）がなくなっていない場合、判定（３５０）によって、当該処理が工程３１４に戻って、新たなスクランブル解除鍵の復号化（３３０）の処理が始まる。時間変動放送セキュリティ手法では、判定３５０は、ネットワーク・データ・パケット２２０を常に監視して、新たな制御語が、予測されるチャンネル放送の伝送２０５に施される時点を判定しなければならない。
【００２４】
再度、変更可能性が存在するものとする場合、更に、図４を参照すれば、システム４００は、ウェイト状態４１２にないことになり、システムは、視聴可能チャンネル４２０を判定する工程を開始することになる。その後、スクランブル解除するＮビット・スクランブル解除コードに関連した制御語と、関連した視聴チャンネルが復号化され（４３０）、メモリに記憶され  （４４０）、それらは、視聴可能チャンネルがユーザによって選択される場合に取り出し可能である。チャンネルがユーザによって選択された（４６０）場合、制御語を取り出し（４７０）、利用して、Ｎビット・スクランブル解除コードをスクランブル解除する（４８０）。スクランブル解除鍵を更に利用して（４８０）、ディジタル・データ・ストリームを、視聴者によって認識可能な手段に組み立てる。制御語が復号化されると（４３０）、システム（４００）は、視聴可能性（４５０）を有するチャンネル全てが自らの制御語（４１０）を記憶させているかを判定する。それらが自らの鍵を記憶させている場合（４４０）、システムは、新たな視聴可能性（４５５）を待つ（４５５）。視聴可能性がなくなっていない場合、判定（４５０）によって、当該処理は工程４２０に戻り、新たな制御語を記憶する処理が始まる（４４０）。時間変動放送セキュリティ手法では、判定（４５０）は、ネットワーク・データ・パケット（２２０）を常に監視して、新たな制御語が、予測されるチャンネル放送の伝送２０５に施される時点を判定する。
【００２５】
本願に示す本発明の形態は、好ましい実施例にすぎないこととする。種々の変更を部分の機能及び配置において行い得る。同等の手段を、本願で例証し、記載したものと置き換え得る。更に、特定の特徴を他のものとは無関係に、本特許請求の範囲記載の、本発明の技術思想及び範囲から逸脱することなく用い得る。
【図面の簡単な説明】
【００２６】
【図１】従来技術の受信装置を示す構成図である。
【図２】本発明を示す構成図である。
【図３】記憶されている、Ｎビットの復号化鍵を利用してチャンネル選択における遅延を削減する方法を示す構成図である。
【図４】制御語を利用してチャンネル選択における遅延を削減する方法を示す図である。
【図１】
2007502575.tif 000003
【図２】
2007502575.tif 000004
【図３】
2007502575.tif 000005
【図４】
2007502575.tif 000006
【手続補正書】
【提出日】平成16年11月2日(2004.11.2)
【手続補正１】
【補正対象書類名】特許請求の範囲
【補正対象項目名】全文
【補正方法】変更
【補正の内容】
【特許請求の範囲】
【請求項１】
受信器であって、
ディジタル伝送をチューニングし、復号化して、前記ディジタル伝送に含まれる各々のチャンネルに関連した制御語を生成するチューニング及び復号化の装置と、
選択されるチャンネルをチューニングし、復号化する旨のユーザ要求に応じて、選択される制御語を用いて、出力される対象の前記選択されるチャンネルに対するスクランブル解除鍵を生成し、前記選択されるチャンネルに関連したディジタル伝送ストリームをスクランブル解除する、プログラムされる手段とを備え、
前記チューニング及び復号化の手段は更に、非選択チャンネルを監視して該非選択チャンネルに関連した制御語を導き出し、該制御語をメモリに記憶し、
該記憶制御語は、前記非選択チャンネルが前記ユーザによって後に選択される場合にディジタル伝送ストリームを復号化するのに用いられることを特徴とする受信器。
【請求項２】
請求項１記載の受信器であって、
前記非選択チャンネルは、更新された制御語について周期的に監視され、前記更新された制御語は、前記メモリに記憶されることを特徴とする受信器。
【請求項３】
請求項１記載の受信器であって、
前記非選択チャンネルは、視聴可能チャンネル群を備えることを特徴とする受信器。
【請求項４】
請求項１記載の受信器であって、
前記制御語を、番組選択操作モードにおいて比較して、所望のディジタル・スクランブル解除鍵ストリームを識別することを特徴とする受信器。
【請求項５】
請求項１記載の受信器であって、
前記制御語群が、前記メモリから取り出され、
制御語のうちの記憶された部分は、所望のディジタル伝送ストリームに関連したスクランブル解除鍵と優劣つけがたいことを特徴とする受信器。
【請求項６】
ビデオ伝送の受信方法であって、
ディジタル伝送をチューニングし、復号化して、前記ディジタル伝送に含まれる各々のチャンネルに関連したスクランブル解除鍵を生成する工程と、
選択されるチャンネルに対するスクランブル解除鍵を判定し、前記選択されるチャンネルをチューニングし、復号化する旨のユーザ要求に応じて、前記選択されるチャンネルに関連したディジタル伝送ストリームをスクランブル解除する工程と、
非選択チャンネルを監視して該非選択チャンネルに関連したスクランブル解除鍵を導き出し、該スクランブル解除鍵をメモリに記憶する工程とを備え、
該記憶スクランブル解除鍵は、前記非選択チャンネルが前記ユーザによって後に選択される場合にディジタル伝送ストリームを復号化するのに用いられることを特徴とする受信方法。
【請求項７】
請求項６記載の受信方法であって、
前記監視する工程は、更新されたスクランブル解除鍵を判定するよう周期的に行われ、
更に、
更新されたスクランブル解除鍵を前記メモリに記憶する工程を更に備えることを特徴とする受信方法。
【請求項８】
請求項６記載の受信方法であって、
前記非選択チャンネルは、視聴可能チャンネル群を備えることを特徴とする受信方法。
【請求項９】
請求項６記載の受信方法であって、
前記スクランブル解除鍵を、番組選択操作モードにおいて比較して、所望のディジタル・伝送ストリームを識別することを特徴とする受信方法。
【請求項１０】
請求項７記載の受信方法であって、
前記スクランブル解除鍵を前記メモリから取り出す工程を更に備え、
前記スクランブル解除鍵のうちの記憶された部分は、所望のディジタル伝送ストリームと優劣つけがたいことを特徴とする受信方法。
【請求項１１】
受信方法であって、
ディジタル伝送における視聴可能チャンネルを判定する工程と、
前記ディジタル伝送から、前記視聴可能チャンネルに関連した復号化鍵を、ユーザ選択チャンネルをチューニングし、復号化する間に判定する工程と、
前記復号化鍵を、前記視聴可能チャンネルがユーザによって選択される場合に取り出し可能な状態でメモリに記憶する工程と、
視聴可能性を有するチャンネル全てが各々の復号化鍵を判定させているかを判定し、
視聴可能性を有するチャンネル全てが各々の復号化鍵を判定させている訳でない場合、新たな制御語について前記ディジタル伝送を監視し続ける工程とを備えることを特徴とする受信方法。
【請求項１２】
請求項１１記載の受信方法であって、
新たに選択される視聴チャンネルに関連したスクランブル解除鍵を前記メモリから取り出す工程を更に備えることを特徴とする受信方法。
【請求項１３】
請求項１２記載の受信方法であって、
前記選択される視聴チャンネルに関連した前記スクランブル解除鍵を利用して、前記新たに選択される視聴チャンネルに関連したディジタル伝送ストリームをスクランブル解除する工程を更に備えることを特徴とする受信方法。
【請求項１４】
請求項１１記載の受信方法であって、
判定する工程が、時間変動セキュリティ手法に必要な、更新される復号化鍵を周期的に判定する工程を備えることを特徴とする受信方法。
【請求項１５】
受信方法であって、
ディジタル伝送における視聴可能チャンネルを判定する工程と、
前記ディジタル伝送から、前記視聴可能チャンネルに関連した制御語を、ユーザ選択チャンネルをチューニングし、復号化する間に判定する工程と、
前記制御語を、前記視聴可能チャンネルがユーザによって選択される場合に取り出し可能な状態でメモリに記憶する工程と、
視聴可能性を有するチャンネル全てが各々の制御語を判定させているかを判定し、
視聴可能性を有するチャンネル全てが各々の制御語を判定させている訳でない場合、新たな制御語について前記ディジタル伝送を監視し続ける工程とを備えることを特徴とする受信方法。
【請求項１６】
請求項１５記載の受信方法であって、
スクランブル解除コードを前記制御語から生成し、
選択されるチャンネルに関連したディジタル伝送ストリームを、前記スクランブル解除コードを用いてスクランブル解除する工程を更に備えることを特徴とする受信方法。
【請求項１７】
請求項１６記載の受信方法であって、
新たに選択される視聴チャンネルに関連した所要制御語を前記メモリから取り出す工程を更に備えることを特徴とする受信方法。
【請求項１８】
請求項１７記載の受信方法であって、
前記所要制御語を利用して、所要スクランブル解除コードを生成し、該所要スクランブル解除コードを用いて、前記新たに選択される視聴チャンネルに関連したディジタル伝送ストリームを処理する工程を更に備えることを特徴とする受信方法。
【請求項１９】
請求項１５記載の受信方法であって、
前記判定する工程が、時間変動セキュリティ手法に必要な、更新される復号化鍵を周期的に判定する工程を備えることを特徴とする受信方法。
【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
受信器であって、
ディジタル伝送をチューニングし、復号化して、前記ディジタル伝送に含まれる各々のチャンネルに関連した制御語を生成するチューニング及び復号化の装置と、
選択されるチャンネルをチューニングし、復号化する旨のユーザ要求に応じて、選択される制御語を用いて、出力される対象の前記選択されるチャンネルに対するスクランブル解除鍵を生成し、前記選択されるチャンネルに関連したディジタル伝送ストリームをスクランブル解除する、プログラムされる手段とを備え、
前記チューニング及び復号化の手段は更に、非選択チャンネルを監視して該非選択チャンネルに関連した制御語を導き出し、該制御語をメモリに記憶し、
該記憶制御語は、前記非選択チャンネルが前記ユーザによって後に選択される場合にディジタル伝送ストリームを復号化するのに用いられることを特徴とする受信器。
【請求項２】
請求項１記載の受信器であって、
前記非選択チャンネルは、更新された制御語について周期的に監視され、前記更新された制御語は、前記メモリに記憶されることを特徴とする受信器。
【請求項３】
請求項１記載の受信器であって、
前記非選択チャンネルは、視聴可能チャンネル群を備えることを特徴とする受信器。
【請求項４】
請求項１記載の受信器であって、
前記制御語を、番組選択操作モードにおいて比較して、所望のディジタル・スクランブル解除鍵ストリームを識別することを特徴とする受信器。
【請求項５】
請求項１記載の受信器であって、
前記制御語群が、前記メモリから取り出され、
制御語のうちの記憶された部分は、所望のディジタル伝送ストリームに関連したスクランブル解除鍵と優劣つけがたいことを特徴とする受信器。
【請求項６】
ビデオ伝送の受信方法であって、
ディジタル伝送をチューニングし、復号化して、前記ディジタル伝送に含まれる各々のチャンネルに関連したスクランブル解除鍵を生成する工程と、
選択されるチャンネルに対するスクランブル解除鍵を判定し、前記選択されるチャンネルをチューニングし、復号化する旨のユーザ要求に応じて、前記選択されるチャンネルに関連したディジタル伝送ストリームをスクランブル解除する工程と、
非選択チャンネルを監視して該非選択チャンネルに関連したスクランブル解除鍵を導き出し、該スクランブル解除鍵をメモリに記憶する工程とを備え、
該記憶スクランブル解除鍵は、前記非選択チャンネルが前記ユーザによって後に選択される場合にディジタル伝送ストリームを復号化するのに用いられることを特徴とする受信方法。
【請求項７】
請求項６記載の受信方法であって、
前記監視する工程は、更新されたスクランブル解除鍵を判定するよう周期的に行われ、
更に、
更新されたスクランブル解除鍵を前記メモリに記憶する工程を更に備えることを特徴とする受信方法。
【請求項８】
請求項６記載の受信方法であって、
前記非選択チャンネルは、視聴可能チャンネル群を備えることを特徴とする受信方法。
【請求項９】
請求項６記載の受信方法であって、
前記スクランブル解除鍵を、番組選択操作モードにおいて比較して、所望のディジタル・伝送ストリームを識別することを特徴とする受信方法。
【請求項１０】
請求項７記載の受信方法であって、
前記スクランブル解除鍵を前記メモリから取り出す工程を更に備え、
前記スクランブル解除鍵のうちの記憶された部分は、所望のディジタル伝送ストリームと優劣つけがたいことを特徴とする受信方法。
【請求項１１】
受信方法であって、
ディジタル伝送における視聴可能チャンネルを判定する工程と、
前記ディジタル伝送から、前記視聴可能チャンネルに関連した復号化鍵を、ユーザ選択チャンネルをチューニングし、復号化する間に判定する工程と、
前記復号化鍵を、前記視聴可能チャンネルがユーザによって選択される場合に取り出し可能な状態でメモリに記憶する工程と、
視聴可能性を有するチャンネル全てが各々の復号化鍵を判定させているかを判定し、
視聴可能性を有するチャンネル全てが各々の復号化鍵を判定させている訳でない場合、新たな制御語について前記ディジタル伝送を監視し続ける工程とを備えることを特徴とする受信方法。
【請求項１２】
請求項１１記載の受信方法であって、
判定する工程が、時間変動セキュリティ手法に必要な、更新される復号化鍵を周期的に判定する工程を備えることを特徴とする受信方法。
【国際調査報告】
2007502575.tif 000007
2007502575.tif 000008
2007502575.tif 000009
2007502575.tif 000010